(57)【要約】【課題】音声通信において、複数の通信網の何れかに無線端末の呼が集中することを防止する。【解決手段】制御装置１０は、無線端末３００に対する呼が発生した場合に、ＣＳ基地局１００の空き回線数と、ＰＳ基地局２００の空きリソースブロック量とに基づいて、無線端末３００を、ＣＳ基地局１００及びＰＳ基地局２００の何れに接続させるかを決定する。具体的には、制御装置１０は、ＰＳ基地局２００の空きリソースブロック量を空き回線数に換算し、当該ＰＳ基地局２００の空き回線数と、ＣＳ基地局１００の空き回線数とを比較し、回線数の多い基地局を接続先に決定する。【選択図】図１
2012238930.tif 000002
【特許請求の範囲】
【請求項１】
第１の通信網を構成する第１の無線基地局、及び、第２の通信網を構成する第２の無線基地局と、前記第１の無線基地局及び前記第２の無線基地局との間で音声通信を行う無線端末との接続を制御する制御装置であって、
前記無線端末に対する呼が発生した場合に、前記第１の無線基地局及び前記第２の無線基地局のリソースの状況に基づいて、前記無線端末を、前記第１の無線基地局及び前記第２の無線基地局の何れかに接続するかを決定する制御部を備える制御装置。
【請求項２】
前記第１の通信網は回線交換網であり、前記第２の通信網はパケット交換網である請求項１に記載の制御装置。
【請求項３】
前記制御部は、前記第１の無線基地局の空き回線数と、前記第２の無線基地局の空き無線リソース量とに基づいて、前記無線端末を、前記第１の無線基地局及び前記第２の無線基地局の何れかに接続するかを決定する請求項２に記載の制御装置。
【請求項４】
前記制御部は、前記第１の無線基地局の処理量と、前記第２の無線基地局の処理量とに基づいて、前記無線端末を、前記第１の無線基地局及び前記第２の無線基地局の何れかに接続するかを決定する請求項１に記載の制御装置。
【請求項５】
前記第２の無線基地局の空き無線リソース量は、前記無線端末と前記第２の無線基地局との間の無線品質に基づいて算出される値である請求項３に記載の制御装置。
【請求項６】
第１の通信網を構成する第１の無線基地局、及び、第２の通信網を構成する第２の無線基地局と、前記第１の無線基地局及び前記第２の無線基地局との間で音声通信を行う無線端末との接続を制御する制御装置における通信制御方法であって、
前記無線端末に対する呼が発生した場合に、前記第１の無線基地局及び前記第２の無線基地局のリソースの状況に基づいて、前記無線端末を、前記第１の無線基地局及び前記第２の無線基地局の何れかに接続するかを決定するステップを含む通信制御方法。
【発明の詳細な説明】
【技術分野】
【０００１】
本発明は、第１の通信網を構成する第１の無線基地局、及び、第２の通信網を構成する第２の無線基地局と、前記第１の無線基地局及び前記第２の無線基地局との間で音声通信を行う無線端末との接続を制御する制御装置と、当該制御装置における通信制御方法に関する。
【背景技術】
【０００２】
現在の無線通信システムにおいて、音声通信は、回線交換網（ＣＳ：Circuit Switched network）を用いて行われる。しかし、ＬＴＥ（Long Term Evolution）（例えば、非特許文献１参照）等の高速・広帯域な通信方式が普及することにより、パケット交換網（ＰＳ：Packet Switched network）上でＶｏＩＰ（Voive over IP）を用いた音声通信が普及すると予想される。
【先行技術文献】
【非特許文献】
【０００３】
【非特許文献１】3GPP TS 36.300 V10.0.0
【発明の概要】
【発明が解決しようとする課題】
【０００４】
地震等の災害時に、音声通信の発着呼が殺到した場合、無線端末の接続可能な最大数に制限のある回線交換網を用いた音声通信では、接続可能な最大数を超えてしまい、多くの無線端末が音声通信を行えなくなる場合がある。
【０００５】
一方、パケット交換網は、ＭＣＳ（Modulation and Coding Scheme）、ＤＲＣ（Data Rate Control）等の技術により、各無線端末の無線状態に応じて通信帯域が変動する。このため、１つの無線基地局に接続可能な無線端末の最大数は、各無線端末の無線状態に応じて変動する。
【０００６】
一般に回線交換網は音声通信専用に使用され、パケット交換網はデータ通信用に使用される。但し、上述の通り、パケット交換網でも、ＶｏＩＰ等の技術により音声通信が可能となる。
【０００７】
しかし、現在の無線通信システムは、回線交換網とパケット交換網のどちらで音声通信を行うのが適切であるかを選択できない。このため、例えば、回線交換網の通信エリアと音声通信可能なパケット交換網の通信エリアとが重複する領域において、パケット交換網に音声通信の呼が集中してしまう可能性がある。
【０００８】
そこで、本発明は、音声通信において、複数の通信網の何れかに無線端末の呼が集中することを防止する制御装置及び通信制御方法を提供することを目的とする。
【課題を解決するための手段】
【０００９】
上述した課題を解決するために、本発明は以下のような特徴を有している。本発明の特徴は、第１の通信網（回線交換網）を構成する第１の無線基地局（ＣＳ基地局１００）、及び、第２の通信網（パケット交換網）を構成する第２の無線基地局（ＰＳ基地局２００）と、前記第１の無線基地局及び前記第２の無線基地局との間で音声通信を行う無線端末（無線端末３００−１乃至無線端末３００−４）との接続を制御する制御装置（制御装置１０）であって、前記無線端末に対する呼が発生した場合に、前記第１の無線基地局及び前記第２の無線基地局のリソースの空き状況に基づいて、前記無線端末を、前記第１の無線基地局及び前記第２の無線基地局の何れかに接続するかを決定する制御部（制御部１２）を備えることを要旨とする。
【００１０】
このような制御装置は、無線端末に対する呼が発生した場合に、第１の通信網を構成する第１の無線基地局、及び、第２の通信網を構成する第２の無線基地局のリソースの空き状況に基づいて、第１の無線基地局及び前記第２の無線基地局の何れかに接続するかを決定する。例えば、制御装置は、第１の無線基地局のリソースが第２の無線基地局のリソースよりも多く空いていると見なされる場合、無線端末を第１の無線基地局に接続することを決定する。従って、第１の通信網及び第２の通信網の一方に呼が集中してしまうことを防止し、複数の通信網を適切に選択できる。
【００１１】
本発明の特徴は、前記第１の通信網は回線交換網であり、前記第２の通信網はパケット交換網であることを要旨とする。
【００１２】
本発明の特徴は、前記制御部は、前記第１の無線基地局の空き回線数と、前記第２の無線基地局の空き無線リソース量とに基づいて、前記無線端末を、前記第１の無線基地局及び前記第２の無線基地局の何れかに接続するかを決定することを要旨とする。
【００１３】
本発明の特徴は、前記第２の無線基地局の空き無線リソース量は、前記無線端末と前記第２の無線基地局との間の無線品質に基づいて算出される値であることを要旨とする。
【００１４】
本発明の特徴は、第１の通信網を構成する第１の無線基地局、及び、第２の通信網を構成する第２の無線基地局と、前記第１の無線基地局及び前記第２の無線基地局との間で音声通信を行う無線端末との接続を制御する制御装置における通信制御方法であって、前記無線端末に対する呼が発生した場合に、前記第１の無線基地局及び前記第２の無線基地局のリソースの空き状況に基づいて、前記無線端末を、前記第１の無線基地局及び前記第２の無線基地局の何れかに接続するかを決定するステップを含むことを要旨とする。
【発明の効果】
【００１５】
本発明の特徴によれば、音声通信において、複数の通信網の何れかに無線端末の呼が集中することを防止できる。
【図面の簡単な説明】
【００１６】
【図１】本発明の実施形態に係る無線通信システムの全体概略構成図である。
【図２】本発明の実施形態に係る制御装置の構成図である。
【図３】本発明の実施形態に係る無線通信システムの第１の動作を示すシーケンス図である。
【図４】本発明の実施形態に係る無線通信システムの第２の動作を示すシーケンス図である。
【図５】本発明の実施形態に係る無線通信システムの第３の動作を示すシーケンス図である。
【発明を実施するための形態】
【００１７】
次に、図面を参照して、本発明の実施形態を説明する。具体的には、（１）無線通信システムの構成、（２）無線通信システムの動作、（３）作用・効果、（４）その他の実施形態について説明する。以下の実施形態における図面の記載において、同一又は類似の部分には同一又は類似の符号を付している。
【００１８】
（１）無線通信システムの構成
（１．１）無線通信システムの全体概略構成
図１は、本発明の実施形態に係る無線通信システム１の全体概略構成図である。無線通信システム１は、ＵＴＲＡＮ（UMTS Terrestrial Radio Access Network）に基づく回線交換網と、例えば、第３．９世代（３．９Ｇ）携帯電話システムであるＬＴＥ  Ｒｅｌｅａｓｅ９ や、第４世代（４Ｇ）携帯電話システムとして位置づけられているＬＴＥ−Ａｄｖａｎｃｅｄに基づくパケット交換網とを有する。
【００１９】
図１に示すように、無線通信システム１は、制御装置１０と、回線交換網基地局（ＣＳ基地局）１００と、ＣＳネットワーク１５１と、パケット交換網基地局（ＰＳ基地局）２００と、ＰＳネットワーク２５１と、無線端末３００−１乃至無線端末３００−４（以下、無線端末３００−１乃至無線端末３００−４をまとめて、適宜「無線端末３００」と称する）とにより構成される。
【００２０】
回線交換網は、ＣＳ基地局１００及びＣＳネットワーク１５１により構成される。パケット交換網は、ＰＳ基地局２００及びＰＳネットワーク２５１により構成される。
【００２１】
ＣＳ基地局１００は、カバレッジエリアであるセル１５０を形成する。無線端末３００−１乃至無線端末３００−４は、セル１５０内に存在する。ＰＳ基地局２００は、カバレッジエリアであるセル２５０を形成する。無線端末３００−１及び無線端末３００−２は、セル２５０内に存在する。無線端末３００−１及び無線端末３００−２は、セル１５０とセル２５０との重複エリアに存在する。従って、無線端末３００−１及び無線端末３００−２は、ＣＳ基地局１００に接続して音声通信が可能であるとともに、ＰＳ基地局２００に接続してＶｏＩＰによる音声通信が可能である。
【００２２】
図１では、セルの配置は、１つのセル１５０内に１つのセル２５０が存在する配置である。しかし、セルの配置はこれに限定されず、１つのセル１５０内に複数のセル２５０が存在する配置、１つのセル２５０が複数のセル１５０と重複する配置等、様々なセルの配置において、本発明は適用される。
【００２３】
（１．２）制御装置の構成
制御装置１０は、無線端末３００−１及び無線端末３００−２による音声通信時に、当該無線端末３００−１及び無線端末３００−２を、ＣＳ基地局１００及びＰＳ基地局２００の何れかに接続させる制御を行う。
【００２４】
図２は、制御装置１０の構成を示す図である。図２に示す制御装置１０は、制御部１２、記憶部１３及びインタフェース部（Ｉ／Ｆ部）１４を有する。
【００２５】
制御部１２は、例えばＣＰＵ（Central Processing Unit）、ＤＳＰ（Digital Signal Processor）等を用いて構成される。制御部１２は、制御装置１０が具備する各種の機能を制御する。
【００２６】
記憶部１３は、例えばメモリを用いて構成される。記憶部１３は、制御装置１０の制御等に用いられる各種の情報を記憶する。Ｉ／Ｆ部１４は、ＣＳネットワーク１５１を介して、ＣＳ基地局１００との間で通信を行う。Ｉ／Ｆ部１４は、ＰＳネットワーク２５１を介して、ＰＳ基地局２００との間で通信を行う。
【００２７】
（１．３）制御装置内の制御部、ＣＳ基地局、ＰＳ基地局及び無線端末の処理
（第１の処理）
ＰＳ基地局２００は、セル２５０に向けて報知情報を配信する。セル２５０内の無線端末３００は、報知情報を受信する。更に、無線端末３００は、応答のメッセージ（応答メッセージ）を、ＰＳ基地局２００へ送信する。
【００２８】
ＰＳ基地局２００は、応答メッセージを受信する。更に、ＰＳ基地局２００は、応答メッセージの送信元の無線端末３００へＳＩＮＲ問合せメッセージを送信する。ＳＩＮＲ問合せメッセージは、接続応答メッセージの送信元の無線端末３００とＰＳ基地局２００との間の無線品質であるＳＩＮＲ（Signal-to-Interference and Noise power Ratio）を問い合わせるためのメッセージである。
【００２９】
無線端末３００は、ＳＩＮＲ問合せメッセージを受信する。無線端末３００は、ＳＩＮＲ問合せメッセージに応じて、当該無線端末３００とＰＳ基地局２００との間の無線品質であるＳＩＮＲを測定する。例えば、無線端末３００は、ＰＳ基地局２００から送信される報知情報についてＳＩＮＲを測定する。次に、無線端末３００は、測定したＳＩＮＲの情報を、ＳＩＮＲ問合せメッセージの送信元のＰＳ基地局２００へ送信する。
【００３０】
ＰＳ基地局２００は、ＳＩＮＲ情報を受信する。次に、ＰＳ基地局２００は、ＳＩＮＲ情報に基づいて、当該ＳＩＮＲ情報の送信元の無線端末３００がＰＳ基地局２００との間で無線通信を行う際のＭＣＳ（Modulation and Coding Scheme）を導出する。ＰＳ基地局２００は、導出したＭＣＳに基づいて、ＳＩＮＲ情報の送信元の無線端末３００と無線通信を行う際に必要な無線リソースであるリソースブロック（ＲＢ：Resource Block）の量（必要リソースブロック量）を算出する。
【００３１】
（第２の処理）
第２の処理は、無線端末３００がＰＳ基地局２００に対して発呼信号を送信する場合の処理である。
【００３２】
無線端末３００は、ＰＳ基地局２００との間で待ち受け状態にある場合、音声通信を行うための発呼信号を、ＰＳ基地局２００へ送信する。ＰＳ基地局２００は、発呼信号を受信すると、当該発呼信号を制御装置１０へ送信する。
【００３３】
制御装置１０内の制御部１２は、ＰＳ基地局２００からの発呼信号を受信する。次に、制御部１２は、発呼信号の送信元のＰＳ基地局２００に隣接し、発呼信号の送信元の無線端末３００と無線通信が可能な１又は複数のＣＳ基地局１００を判別する。具体的には、発呼信号の送信元の無線端末３００と無線通信が可能な１又は複数のＣＳ基地局１００は、発呼信号の送信元のＰＳ基地局２００とセルが重なるＣＳ基地局１００である。発呼信号の送信元のＰＳ基地局２００とセルが重なるＣＳ基地局１００の情報は、例えば記憶部１３に記憶されている。
【００３４】
次に、制御部１２は、空いている無線リソースを問い合わせるためのリソース問合せメッセージを、発呼信号の送信元のＰＳ基地局２００と、発呼信号の送信元の無線端末３００と無線通信が可能な１又は複数のＣＳ基地局１００とへ送信する。
【００３５】
ＰＳ基地局２００は、リソース問合せメッセージを受信する。次に、ＰＳ基地局２００は、割り当て可能な全てのリソースブロック量から既に無線端末３００に対して割り当て済みのリソースブロック量を差し引くことにより、空きリソースブロックの量を算出する。更に、ＰＳ基地局２００は、空きリソースブロック量と、リソースブロックを割り当てていない１又は複数の無線端末３００に対応する必要リソースブロック量とを含んだＰＳリソース情報を生成する。ＰＳ基地局２００は、生成したＰＳリソース情報を、制御装置１０へ送信する。
【００３６】
ＣＳ基地局１００は、リソース問合せメッセージを受信する。次に、ＣＳ基地局１００は、割り当て可能な回線数から既に無線端末３００に対して割り当て済みの回線数を差し引くことにより、空き回線数を算出する。更に、ＣＳ基地局１００は、空き回線数を含んだＣＳリソース情報を、制御装置１０へ送信する。
【００３７】
制御装置１０内の制御部１２は、ＰＳリソース情報とＣＳリソース情報を受信する。制御部１２は、ＰＳリソース情報とＣＳリソース情報とに基づいて、発呼信号の送信元の無線端末３００を、ＣＳ基地局１００とＰＳ基地局２００との何れに接続させるかを決定する。
【００３８】
具体的には、制御部１２は、ＰＳリソース情報に含まれる必要リソースブロック量の平均値を算出する。制御部１２は、ＰＳリソース情報に含まれる空きリソースブロック量を必要リソースブロック量の平均値で除算する。除算により得られる値は、ＰＳ基地局２００の空き回線数と見なし得る。次に、制御部１２は、受信した各ＣＳリソース情報に含まれる、ＣＳ基地局１００の空き回線数の平均値を算出する。
【００３９】
制御部１２は、ＰＳ基地局２００の空き回線数と、ＣＳ基地局１００の空き回線数の平均値とを比較し、空き回線数の大きい方の基地局を、発呼信号の送信元の無線端末３００が接続する基地局に決定する。ここで、ＣＳ基地局１００が接続先として決定される場合、接続先の候補となるＣＳ基地局１００は、発呼信号の送信元の無線端末３００と無線通信が可能なＣＳ基地局１００であり、複数存在する場合がある。この場合、制御部１２は、空き回線数の最も多いＣＳ基地局１００を、接続先として決定してもよい。
【００４０】
制御部１２は、決定した基地局の情報（接続基地局情報）を、ＰＳ基地局２００へ送信する。ＰＳ基地局２００は、接続基地局情報を受信する。接続基地局情報によって示される基地局が、ＰＳ基地局２００である場合には、当該ＰＳ基地局２００は、発呼信号の応答である接続応答信号を無線端末３００へ送信する。無線端末は、接続応答信号を受信する。その後、無線端末３００とＰＳ基地局２００との間で音声通信が開始される。
【００４１】
一方、接続基地局情報によって示される基地局がＣＳ基地局１００である場合、ＰＳ基地局２００は、接続基地局情報を発呼信号の送信元の無線端末３００へ送信する。
【００４２】
無線端末３００は、接続基地局情報を受信する。無線端末３００は、接続基地局情報によって示されるＣＳ基地局１００へ発呼信号を送信する。ＣＳ基地局１００は、発呼信号を受信する。ＣＳ基地局１００は、発呼信号の応答である接続応答信号を無線端末３００へ送信する。無線端末は、接続応答信号を受信する。その後、無線端末３００とＣＳ基地局１００との間で音声通信が開始される。
【００４３】
（第３の処理）
第３の処理は、無線端末３００がＣＳ基地局１００に対して発呼信号を送信する場合の処理である。具体的には、上述の第２の処理とほぼ同様である。
【００４４】
無線端末３００は、ＣＳ基地局１００との間で待ち受け状態にある場合、音声通信を行うための発呼信号を、ＣＳ基地局１００へ送信する。ＣＳ基地局１００は、発呼信号を受信すると、当該発呼信号を制御装置１０へ送信する。
【００４５】
制御装置１０内の制御部１２は、ＣＳ基地局１００からの発呼信号を受信する。次に、制御部１２は、発呼信号の送信元のＣＳ基地局１００に隣接し、発呼信号の送信元の無線端末３００と無線通信が可能な１又は複数のＰＳ基地局２００を判別する。具体的には、発呼信号の送信元の無線端末３００と無線通信が可能な１又は複数のＰＳ基地局２００は、発呼信号の送信元のＣＳ基地局１００とセルが重なるＰＳ基地局２００である。発呼信号の送信元のＣＳ基地局１００とセルが重なるＰＳ基地局２００の情報は、例えば記憶部１３に記憶されている。
【００４６】
次に、制御部１２は、空いている無線リソースを問い合わせるためのリソース問合せメッセージを、発呼信号の送信元のＣＳ基地局１００と、発呼信号の送信元の無線端末３００と無線通信が可能な１又は複数のＰＳ基地局２００とへ送信する。
【００４７】
ＣＳ基地局１００は、リソース問合せメッセージを受信する。次に、ＣＳ基地局１００は、割り当て可能な回線数から既に無線端末３００に対して割り当て済みの回線数を差し引くことにより、空き回線数を算出する。更に、ＣＳ基地局１００は、空き回線数を含んだＣＳリソース情報を、制御装置１０へ送信する。
【００４８】
ＰＳ基地局２００は、リソース問合せメッセージを受信する。次に、ＰＳ基地局２００は、割り当て可能な全てのリソースブロック量から既に無線端末３００に対して割り当て済みのリソースブロック量を差し引くことにより、空きリソースブロックの量を算出する。更に、ＰＳ基地局２００は、空きリソースブロック量と、リソースブロックを割り当てていない１又は複数の無線端末３００に対応する必要リソースブロック量とを含んだＰＳリソース情報を生成する。ＰＳ基地局２００は、生成したＰＳリソース情報を、制御装置１０へ送信する。
【００４９】
制御装置１０内の制御部１２は、ＰＳリソース情報とＣＳリソース情報を受信する。制御部１２は、ＰＳリソース情報とＣＳリソース情報とに基づいて、発呼信号の送信元の無線端末３００を、ＣＳ基地局１００とＰＳ基地局２００との何れに接続させるかを決定する。
【００５０】
具体的には、制御部１２は、各ＰＳリソース情報毎に、当該ＰＳリソース情報に含まれる必要リソースブロック量の平均値を算出するとともに、当該ＰＳリソース情報に含まれる空きリソースブロック量を、算出した必要リソースブロック量の平均値で除算する。除算により得られる値は、各ＰＳリソース情報の送信元のＰＳ基地局２００の空き回線数と見なし得る。次に、制御部１２は、各ＰＳ基地局２００の空き回線数の平均値を算出する。
【００５１】
制御部１２は、各ＰＳ基地局２００の空き回線数の平均値と、ＣＳリソース情報に含まれるＣＳ基地局１００の空き回線数とを比較し、値の大きい方の基地局を、発呼信号の送信元の無線端末３００が接続する基地局に決定する。ここで、ＰＳ基地局２００が接続先として決定される場合、接続先の候補となるＰＳ基地局２００は、発呼信号の送信元の無線端末３００と無線通信が可能なＰＳ基地局２００であり、複数存在する場合がある。この場合、制御部１２は、空き回線数の最も多いＰＳ基地局２００を、接続先として決定してもよい。
【００５２】
制御部１２は、決定した基地局の情報（接続基地局情報）を、ＣＳ基地局１００へ送信する。ＣＳ基地局１００は、接続基地局情報を受信する。接続基地局情報によって示される基地局が、ＣＳ基地局１００である場合には、当該ＣＳ基地局１００は、発呼信号の応答である接続応答信号を無線端末３００へ送信する。無線端末は、接続応答信号を受信する。その後、無線端末３００とＣＳ基地局１００との間で音声通信が開始される。
【００５３】
一方、接続基地局情報によって示される基地局がＰＳ基地局２００である場合、ＣＳ基地局１００は、接続基地局情報を発呼信号の送信元の無線端末３００へ送信する。
【００５４】
無線端末３００は、接続基地局情報を受信する。無線端末３００は、接続基地局情報によって示されるＰＳ基地局２００へ発呼信号を送信する。ＰＳ基地局２００は、発呼信号を受信する。ＰＳ基地局２００は、発呼信号の応答である接続応答信号を無線端末３００へ送信する。無線端末は、接続応答信号を受信する。その後、無線端末３００とＰＳ基地局２００との間で音声通信が開始される。
【００５５】
（第４の処理）
第４の処理は、無線端末３００への着呼時の処理である。
【００５６】
無線端末３００は、ＣＳ基地局１００及びＰＳ基地局２００との間で待ち受け状態にある。制御装置１０内の制御部１２は、無線端末３００に対する、音声通信における着呼信号を受信する。次に、制御部１２は、無線端末３００の待ち受けの相手であるＣＳ基地局１００及びＰＳ基地局２００へリソース問合せメッセージを送信する。
【００５７】
ＰＳ基地局２００は、リソース問合せメッセージを受信する。次に、ＰＳ基地局２００は、割り当て可能な全てのリソースブロック量から既に無線端末３００に対して割り当て済みのリソースブロック量を差し引くことにより、空きリソースブロックの量を算出する。更に、ＰＳ基地局２００は、空きリソースブロック量と、リソースブロックを割り当てていない１又は複数の無線端末３００に対応する必要リソースブロック量とを含んだＰＳリソース情報を生成する。ＰＳ基地局２００は、生成したＰＳリソース情報を、制御装置１０へ送信する。
【００５８】
ＣＳ基地局１００は、リソース問合せメッセージを受信する。次に、ＣＳ基地局１００は、割り当て可能な回線数から既に無線端末３００に対して割り当て済みの回線数を差し引くことにより、空き回線数を算出する。更に、ＣＳ基地局１００は、空き回線数を含んだＣＳリソース情報を、制御装置１０へ送信する。
【００５９】
制御装置１０内の制御部１２は、ＰＳリソース情報とＣＳリソース情報を受信する。制御部１２は、ＰＳリソース情報とＣＳリソース情報とに基づいて、発呼信号の送信元の無線端末３００を、ＣＳ基地局１００とＰＳ基地局２００との何れに接続させるかを決定する。
【００６０】
具体的には、制御部１２は、ＰＳリソース情報に含まれる必要リソースブロック量の平均値を算出する。制御部１２は、ＰＳリソース情報に含まれる空きリソースブロック量を必要リソースブロック量の平均値で除算する。除算により得られる値は、ＰＳ基地局２００の空き回線数と見なし得る。
【００６１】
制御部１２は、ＰＳ基地局２００の空き回線数と、ＣＳリソース情報に含まれるＣＳ基地局１００の空き回線数とを比較し、値の大きい方の基地局を、発呼信号の送信元の無線端末３００が接続する基地局に決定する。
【００６２】
制御部１２は、接続先をＣＳ基地局１００に決定した場合には、着呼信号をＣＳ基地局１００へ送信する。また、制御部１２は、接続先をＰＳ基地局２００に決定した場合には、着呼信号をＰＳ基地局２００へ送信する。
【００６３】
ＣＳ基地局１００は、着呼信号を受信した場合、当該着呼信号を無線端末３００へ送信する。無線端末３００は、着呼信号を受信した場合、ＣＳ基地局１００へ接続応答信号を送信する。ＣＳ基地局１００は、接続応答信号を受信する。その後、無線端末３００とＣＳ基地局１００との間で音声通信が開始される。
【００６４】
一方、ＰＳ基地局２００は、着呼信号を受信した場合、当該着呼信号を無線端末３００へ送信する。無線端末３００は、着呼信号を受信した場合、ＰＳ基地局２００へ接続応答信号を送信する。ＰＳ基地局２００は、接続応答信号を受信する。その後、無線端末３００とＰＳ基地局２００との間で音声通信が開始される。
【００６５】
（２）無線通信システムの動作
図３は、無線通信システムの第１の動作を示すシーケンス図である。
【００６６】
ステップＳ１０１において、ＰＳ基地局２００は、セル２５０に向けて報知情報を配信する。セル２５０内の無線端末３００は、報知情報を受信する。
【００６７】
ステップＳ１０２において、無線端末３００は、応答メッセージを送信する。ＰＳ基地局２００は、応答メッセージを受信する。
【００６８】
ステップＳ１０３において、ＰＳ基地局２００は、応答メッセージの送信元の無線端末３００へＳＩＮＲ問合せメッセージを送信する。無線端末３００は、ＳＩＮＲ問合せメッセージを受信する。ステップＳ１０４において、無線端末３００は、ＳＩＮＲを測定する。ステップＳ１０５において、無線端末３００は、ＳＩＮＲ情報を送信する。ＰＳ基地局２００は、ＳＩＮＲ情報を受信する。
【００６９】
ステップＳ１０６において、ＰＳ基地局２００は、ＳＩＮＲ情報に基づいて、必要リソースブロック量を算出する。
【００７０】
図４は、無線通信システムの第２の動作を示すシーケンス図である。第２の動作は、上述した第２の処理に対応する。
【００７１】
ステップＳ２００において、無線端末３００は、ＰＳ基地局２００との間で待ち受け状態にある。
【００７２】
ステップＳ２０１において、無線端末３００は、音声通信を行うための発呼信号を、ＰＳ基地局２００へ送信する。ＰＳ基地局２００は、発呼信号を受信する。ステップＳ２０２において、ＰＳ基地局２００は、発呼信号を制御装置１０へ送信する。制御装置１０は、発呼信号を受信する。
【００７３】
ステップＳ２０３において、制御装置１０は、発呼信号の送信元のＰＳ基地局２００へリソース問合せメッセージを送信する。ＰＳ基地局２００は、リソース問合せメッセージを受信する。ステップＳ２０４において、制御装置１０は、発呼信号の送信元の無線端末３００と無線通信が可能な１又は複数のＣＳ基地局１００へリソース問合せメッセージを送信する。ＣＳ基地局１００は、リソース問合せメッセージを受信する。
【００７４】
ステップＳ２０５において、ＰＳ基地局２００は、空きリソースブロック量を算出する。ステップＳ２０６において、ＰＳ基地局２００は、ＰＳリソース情報を制御装置１０へ送信する。制御装置１０は、ＰＳリソース情報を受信する。
【００７５】
ステップＳ２０７において、ＣＳ基地局１００は、ＣＳリソース情報を送信する。制御装置１０は、ＣＳリソース情報を受信する。
【００７６】
ステップＳ２０８において、制御装置１０は、ＰＳリソース情報とＣＳリソース情報とに基づいて、無線端末３００をＣＳ基地局１００とＰＳ基地局２００の何れに接続させるかを決定する。例えば、制御装置１０は、当該ＰＳ基地局２００の空き回線数と、ＣＳ基地局１００の空き回線数とを比較し、空き回線数の多い基地局を接続先に決定する。ここでは、制御装置１０は、無線端末３００をＣＳ基地局１００に接続させることを決定する。
【００７７】
ステップＳ２０９において、制御装置１０は、接続先基地局情報を、発呼信号の送信元のＰＳ基地局２００へ送信する。ＰＳ基地局２００は、接続先基地局情報を受信する。
【００７８】
ステップＳ２１０において、ＰＳ基地局２００は、接続先基地局情報を、発呼信号の送信元の無線端末３００へ送信する。無線端末３００は、接続先基地局情報を受信する。
【００７９】
ステップＳ２１１において、無線端末３００は、接続先に決定されたＣＳ基地局１００へ発呼信号を送信する。ＣＳ基地局１００は、発呼信号を受信する。ステップＳ２１２において、ＣＳ基地局１００は、接続応答信号を送信する。無線端末３００は、接続応答信号を受信する。
【００８０】
ステップＳ２１３において、無線端末３００は、ＣＳ基地局１００と音声通信を開始する。
【００８１】
図５は、無線通信システムの第３の動作を示すシーケンス図である。第３の動作は、上述した第４の処理に対応する。
【００８２】
ステップＳ３０１において、無線端末３００は、ＣＳ基地局１００及びＰＳ基地局２００との間で待ち受け状態にある。
【００８３】
ステップＳ３０２において、制御装置１０は、無線端末３００に対する着呼信号を受信する。ステップＳ３０３において、制御装置１０は、無線端末３００の待ち受けの相手であるＰＳ基地局２００へリソース問合せメッセージを送信する。ＰＳ基地局２００は、リソース問合せメッセージを受信する。ステップＳ３０４において、制御装置１０は、無線端末３００の待ち受けの相手であるＣＳ基地局１００へリソース問合せメッセージを送信する。ＣＳ基地局１００は、リソース問合せメッセージを受信する。
【００８４】
ステップＳ３０５において、ＰＳ基地局２００は、空きリソースブロック量を算出する。ステップＳ３０６において、ＰＳ基地局２００は、ＰＳリソース情報を送信する。制御装置１０は、ＰＳリソース情報を受信する。ステップＳ３０７において、ＣＳ基地局１００は、ＣＳリソース情報を送信する。制御装置１０は、ＣＳリソース情報を受信する。
【００８５】
ステップＳ３０８において、制御装置１０は、ＰＳリソース情報とＣＳリソース情報とに基づいて、無線端末３００をＣＳ基地局１００とＰＳ基地局２００の何れに接続させるかを決定する。例えば、制御装置１０は、当該ＰＳ基地局２００の空き回線数と、ＣＳ基地局１００の空き回線数とを比較し、空き回線数の多い基地局を接続先に決定する。ここでは、制御装置１０は、無線端末３００をＣＳ基地局１００に接続させることを決定する。
【００８６】
ステップＳ３０９において、制御装置１０は、着呼信号を、接続先に決定したＣＳ基地局１００へ送信する。ＣＳ基地局１００は、着呼信号を受信する。
【００８７】
ステップＳ３１０において、ＣＳ基地局１００は、着呼信号を無線端末３００へ送信する。無線端末３００は、着呼信号を受信する。ステップＳ３１１において、無線端末３００は、接続応答信号を送信する。ＣＳ基地局１００は、接続応答信号を受信する。
【００８８】
ステップＳ３１２において、無線端末３００は、ＣＳ基地局１００と音声通信を開始する。
【００８９】
（３）作用・効果
本実施形態では、無線通信システムにおいて、制御装置１０は、無線端末３００に対する呼が発生した場合に、ＣＳ基地局１００の空き回線数と、ＰＳ基地局２００の空きリソースブロック量とに基づいて、無線端末３００を、ＣＳ基地局１００及びＰＳ基地局２００の何れに接続させるかを決定する。
【００９０】
具体的には、制御装置１０は、ＰＳ基地局２００の空きリソースブロック量を空き回線数に換算し、当該ＰＳ基地局２００の空き回線数と、ＣＳ基地局１００の空き回線数とを比較し、空き回線数の多い基地局を接続先に決定する。従って、回線交換網及びパケット交換網の一方に呼が集中してしまうことを防止し、複数の通信網を適切に選択できる。
【００９１】
また、本実施形態では、ＰＳ基地局２００は、無線端末３００におけるＳＩＮＲに基づいて、必要リソースブロック量を算出し、制御装置１０は、ＰＳ基地局の空きリソースブロック量を必要リソースブロック量で除算することにより、ＰＳ基地局２００の空きリソースブロック量を、ＰＳ基地局２００の空き回線数に換算する。このような算出手法により、ＣＳ基地局１００の空き回線数とＰＳ基地局２００の空き無線リソース量との比較を適切に行うことができる。
【００９２】
（４）その他の実施形態
上記のように、本発明は実施形態によって記載したが、この開示の一部をなす論述及び図面はこの発明を限定するものであると理解すべきではない。この開示から当業者には様々な代替実施形態、実施例及び運用技術が明らかとなる。
【００９３】
例えば上述では、制御装置１０は、当該ＰＳ基地局２００の空き回線数と、ＣＳ基地局１００の空き回線数とを比較し、回線数の多い基地局を接続先に決定するとしたが、当該ＰＳ基地局２００の処理量（例えばＣＰＵの使用率）とＣＳ基地局１００の処理量とを比較し、処理量の少ない基地局を接続先に決定することもできる。
【００９４】
上述した実施形態では、無線通信システムは、１つの回線交換網と１つのパケット交換網からなる構成であった。しかし、無線通信システムが、１つの回線交換網と複数のパケット交換網からなる構成、複数の回線交換網と１つのパケット交換網からなる構成、複数の回線交換網と複数のパケット交換網からなる構成であっても、同様に本発明を適用できる。
【００９５】
上述した実施形態では、パケット交換網は、ＬＴＥ  Ｒｅｌｅａｓｅ９ やＬＴＥ−Ａｄｖａｎｃｅｄに基づく構成であったが、ＨＳＤＰＡ（High-Speed Downlink Packet Access）、ＣＤＭＡ  １ｘ  ＥＶ−ＤＯ等に基づく構成であってもよい。
【００９６】
このように本発明は、ここでは記載していない様々な実施形態等を包含するということを理解すべきである。したがって、本発明はこの開示から妥当な特許請求の範囲の発明特定事項によってのみ限定されるものである。
【符号の説明】
【００９７】
１０…制御装置、１２…制御部、１３…記憶部、１４…Ｉ／Ｆ部、１００…ＣＳ基地局、１５０…セル、１５１…ＣＳネットワーク、２００…ＰＳ基地局、２５０…セル、２５１…ＰＳネットワーク、３００−１、３００−２、３００−３、３００−４…無線端末
【図１】
2012238930.tif 000003
【図２】
2012238930.tif 000004
【図３】
2012238930.tif 000005
【図４】
2012238930.tif 000006
【図５】
2012238930.tif 000007